(57)【特許請求の範囲】
【請求項１】
本体にある複数のファイルベイに実装された複数のファイルユニットの動作保証温度を読みとり、その動作保証温度を比較して、ファイルユニットを冷却する冷却ファンの回転方向を変化させることを特徴とするファイルベイの温度制御方法。
【請求項２】
通風孔から流れる空気の流れに沿って、一のファイルユニットと他のファイルユニットを設置し、一のファイルユニットの動作保証温度と他のファイルユニットの動作保証温度とを比較し、一のファイルユニットの動作保証温度が他のファイルユニットの動作保証温度より低い場合は一のファイルユニットから他のファイルユニットに空気が流れるように冷却ファンの回転方向を定め、一のファイルユニットの動作保証温度が他のファイルユニットの動作保証温度より高い場合は他のファイルユニットから一のファイルユニットに空気が流れるように冷却ファンの回転方向を定めることを特徴とする請求項１記載のファイルベイの温度制御方法。
【請求項３】
複数のファイルベイと、このファイルベイに実装される複数のファイルユニットの動作保証温度を読みとり、その動作保証温度を比較して、ファイルユニットを冷却する冷却ファンの回転方向を変化させる制御手段とを備えたことを特徴とするファイルベイの温度制御装置。
【請求項４】
さらに通風孔を備え、通風孔から流れる空気の流れに沿って、一のファイルユニットと他のファイルユニットを設置し、前記制御手段は、一のファイルユニットの動作保証温度と他のファイルユニットの動作保証温度とを比較し、一のファイルユニットの動作保証温度が他のファイルユニットの動作保証温度より低い場合は一のファイルユニットから他のファイルユニットに空気が流れるように冷却ファンの回転方向を定め、一のファイルユニットの動作保証温度が他のファイルユニットの動作保証温度より高い場合は他のファイルユニットから一のファイルユニットに空気が流れるように冷却ファンの回転方向を定めることを特徴とする請求項３記載のファイルベイの温度制御装置。
【請求項５】
前記通風孔を複数個備え、対向する位置に配置したことを特徴とする請求項４記載のファイルベイの温度制御装置。
【請求項６】
前記冷却ファンがプロペラ型であることを特徴とする請求項３、４または５記載のファイルベイの温度制御装置。
【請求項７】
前記冷却ファンがシロッコ型であることを特徴とする請求項３、４または５記載のファイルベイの温度制御装置。
【発明の詳細な説明】
【０００１】
【発明の属する技術分野】
本発明はファイルベイの温度制御方法および装置、特に、携帯型パーソナルコンピュータにおいてハードディスクドライブ，ＣＤ−ＲＯＭ等のファイルユニットを複数選択して実装できるファイルベイの温度制御方法および装置に関する。
【０００２】
【従来の技術】
従来のファイルベイの温度制御装置について図面を参照して詳細に説明する。
【０００３】
図５は従来の一例を示す斜視図である。（例えば、特開平１０−０９１２８４号公報参照）。
【０００４】
携帯型パーソナルコンピュータ１は、スペース１１と、スペース１１に着脱可能に実装することができるケース（ＨＤＤ）１２ａ〜ケース（ＣＤ−ＲＯＭ）１２ｃと、携帯型パーソナルコンピュータ本体のコネクタ１３と、ケース（ＨＤＤ）１２ａ〜ケース（ＣＤ−ＲＯＭ）１２ｃのいずれのケースが実装されたのかを判断する判断回路１４と、判断回路１４からの出力により放熱用ファン１６の回転数を制御する制御回路１５と、制御回路１５の制御により作動する放熱用ファン１６とから構成される。
【０００５】
なお、ケース（ＨＤＤ）１２ａ〜ケース（ＣＤ−ＲＯＭ）１２ｃには、信号数の異なるファイルユニット（ＨＤＤ）１２ａ1〜ファイルユニット（ＣＤ−ＲＯ Ｍ）１２ｃ1と、変換基板（ＨＤＤ）１２ａ2〜換基板（ＣＤ−ＲＯＭ）１２ｃ2と、ファイルユニット対応およびコネクタ１３対応のコネクタが装着される。
【０００６】
コネクタ１３は、信号数の異なるファイルユニット（ＨＤＤ）１２ａ1〜ファイルユニット（ＣＤ−ＲＯＭ）１２ｃ1に共通に備えられるため、最も信号ピンの多いファイルユニットに応じられるだけのピン数と、ファイルユニット識別信号用の信号ピンとを有する。
【０００７】
図６はケースの種類と、携帯型パーソナルコンピュータへのケースの実装方法を示す図である。ケース（ＨＤＤ）１２ａは、ファイルユニットとしてＨＤＤを使用する場合のケースであり、ファイルユニット（ＨＤＤ）１２ａ1とＨＤＤ用 変換基板（ＨＤＤ）１２ａ2とを装着している。同様に、ケース（ＦＤＤ）１２ ｂはファイルユニットとしてＦＤＤを使用する場合でファイルユニット（ＦＤＤ）１２ｂ1とＦＤＤ用変換基板（ＦＤＤ）１２ｂ2、ケース（ＣＤ−ＲＯＭ）１２ｃはファイルユニットとしてＣＤ−ＲＯＭを使用する場合でファイルユニット（ＣＤ−ＲＯＭ）１２ｃ1とＣＤ−ＲＯＭ用変換基板（ＣＤ−ＲＯＭ）１２ｃ2とをそれぞれ装着している。これらの内の一つのケースが、携帯型パーソナルコンピュータ１に備えられたコネクタ１３に接続される。
【０００８】
なお、変換基板（ＨＤＤ）１２ａ2，変換基板（ＦＤＤ）１２ｂ2および変換基板（ＣＤ−ＲＯＭ）１２ｃ2は、各ファイルユニットのコネクタと携帯型パーソナルコンピュータのコネクタ１３間の信号変換のための配線を行うが、その中には各ファイルユニットの種類を判別するための個別のファイルユニット識別信号を含んでいる。
【０００９】
次に動作について図７を用いて説明する。まず、ファイルユニット（ＨＤＤ）１２ａ1〜ファイルユニット（ＣＤ−ＲＯＭ）１２ｃ1の内、使用するファイルユニットを選択する。例えば、ＨＤＤを使用するときは、ファイルユニット（ＨＤＤ）１２ａ1および変換基板（ＨＤＤ）１２ａ2が装着れているケース（ＨＤＤ）１２ａをスペース１１に実装する。判断回路１４は、コネクタ１３を介して変換基板（ＨＤＤ）１２ａ2からのファイルユニット識別信号を読取り、実装さ れたファイルユニットがＨＤＤであることを判別する。判断回路１４は、ＨＤＤと判別した結果を制御回路１５へ出力する。制御回路１５は、判断回路１４からの情報により放熱用ファン１６の回転数を決定し、放熱用ファン１６を作動させる。
【００１０】
制御回路１５は、ファイルユニット（ＨＤＤ）１２ａ1〜ファイルユニット（ ＣＤ−ＲＯＭ）１２ｃ1のそれぞれの発熱量に基づいて放熱用ファン１６の回転 数を決定するため、他のファイルユニット、例えばファイルユニット（ＦＤＤ）１２ｂ1またはファイルユニット（ＣＤ−ＲＯＭ）１２c1を実装した場合も、そ れぞれのファイルユニットに対応した回転数で放熱用ファン１６を作動させる。また、制御回路１５は、ファイルユニットに応じて放熱用ファン１６のオン・オフ制御を行うこともできるし、放熱用ファン１６のオン・オフ制御と回転数制御を併せて行うことある。
【００１１】
【発明が解決しようとする課題】
上述した従来のファイルベイの温度制御装置は、ファイルユニット用のファンが複数必要であったり、単数のファイルユニットしか実装できないという欠点があった。
【００１２】
【課題を解決するための手段】
第１の発明のファイルベイの温度制御方法は、本体にある複数のファイルユニットの動作保証温度を読みとり、その動作保証温度を比較して、ファイルユニットを冷却する冷却ファンの回転方向を変化させる。
【００１３】
第２の発明のファイルベイの温度制御方法は、第１の発明において、通風孔から流れる空気の流れに沿って、一のファイルユニットと他のファイルユニットを設置し、一のファイルユニットの動作保証温度と他のファイルユニットの動作保証温度とを比較し、一のファイルユニットの動作保証温度が他のファイルユニットの動作保証温度より低い場合は一のファイルユニットから他のファイルユニットに空気が流れるように冷却ファンの回転方向を定め、一のファイルユニットの動作保証温度が他のファイルユニットの動作保証温度より高い場合は他のファイルユニットから一のファイルユニットに空気が流れるように冷却ファンの回転方向を定める。
【００１４】
第３の発明のファイルベイの温度制御装置は、複数のファイルベイと、このファイルベイに実装される複数のファイルユニットの動作保証温度を読みとり、その動作保証温度を比較して、ファイルユニットを冷却する冷却ファンの回転方向を変化させる制御手段とを備える。
第４の発明のファイルベイの温度制御装置は、第３の発明において、さらに通風孔を備え、通風孔から流れる空気の流れに沿って、一のファイルユニットと他のファイルユニットを設置し、前記制御手段は、一のファイルユニットの動作保証温度と他のファイルユニットの動作保証温度とを比較し、一のファイルユニットの動作保証温度が他のファイルユニットの動作保証温度より低い場合は一のファイルユニットから他のファイルユニットに空気が流れるように冷却ファンの回転方向を定め、一のファイルユニットの動作保証温度が他のファイルユニットの動作保証温度より高い場合は他のファイルユニットから一のファイルユニットに空気が流れるように冷却ファンの回転方向を定める。
【００１５】
第５の発明のファイルベイの温度制御装置は、第３または４の発明において、前記通風孔を複数個備え、対向する位置に配置する。
【００１６】
第６の発明のファイルベイの温度制御装置は、第３、４または５の発明において、前記冷却ファンがプロペラ型である。
【００１７】
第７の発明のファイルベイの温度制御装置は、第３、４または５の発明において、前記冷却ファンがシロッコ型である。
【００１８】
【発明の実施の形態】
次に、本発明について図面を参照して詳細に説明する。
【００１９】
図１は本発明の一実施形態を示すブロック図である。図１に示すファイルベイの温度制御装置は、ファイルユニットを収容できるファイルベイＡ１０５とファイルベイＢ１０６とを有する携帯型パソコン１０１のファイルベイの温度制御装置において、携帯型パソコン１０１の第１の側壁に設けた通風孔１０９と、携帯型パソコン１０１の第２の側壁に設けた通風孔１１０と、通風孔１０９の内側に設置したベイ用ファン１０８と、ファイルベイ雰囲気温度を検出して温度信号ａを出力する温度センサ１１５と、ファイルベイＡ１０５から送出されたベイＩＤ信号ｂとファイルベイＢ１０６から送出されたベイＩＤ信号ｃとにもとづいてベイ識別信号ｄを出力するベイ識別回路１１１と、ベイ識別信号ｄにもとづいてベイ用ファン１０８の回転方向および回転速度を制御するファン制御信号ｅを出力するファン制御回路とを含んで構成される。
【００２０】
ファイルユニットとしては、ＦＤＤ１０２，ＨＤＤ１０３，ＣＤ−ＲＯＭ１０４が図示されており、各ファイルユニットはそれぞれ自己が何のユニットであるかを報せるベイＩＤを所有している。
【００２１】
各ファイルユニットはそれぞれの動作保証温度をもっており、ファイルベイＡ１０５とファイルベイＢ１０６に実装されたファイルユニットの種別を検出して、ベイ用ファン１０８の回転方向を変化させる。
【００２２】
例えば、ファイルベイＡ１０５に動作保証温度の低いファイルユニットが実装され、ファイルベイＢ１０６に動作保証温度の高いファイルユニットが実装された場合には、ベイ用ファン１０８の回転を順方向にして通風孔１０９から外部の空気を取り込み通風孔１１０から加熱された空気を排出する。
【００２３】
ファイルベイＡ１０５に動作保証温度の高いファイルユニットが実装され、ファイルベイＢ１０６に動作保証温度の低いファイルユニットが実装された場合には、ベイ用ファン１０８の回転を逆方向にして通風孔１１０から外部の空気を取り込み通風孔１０９から加熱された空気を排出する。
【００２４】
以下詳細に説明する。ＦＤＤ１０２，ＨＤＤ１０３、ＣＤ−ＲＯＭ１０４などのドライブを排他選択的に搭載できるスペースをファイルベイと呼ぶ。それぞれのドライブは動作保証温度が異なるため、最も低い動作保証温度に合わせてシステムの冷却仕様を決めるのが一般的である。
【００２５】
２つのファイルベイを持つシステムにおいて、搭載されるドライブに動作保証温度を表すＩＤ情報を盛り込み、携帯型パソコンにはそのＩＤ情報を読みとる機能（ベイ識別回路１１１）及びドライブの組み合わせに応じてファンの風向きを変更する温度制御機能を内蔵したファン制御回路１１２を設けている。このファン制御回路１１２はファイルベイからＩＤ情報を読みとる事により、ファイルベイに搭載されたドライブの動作保証温度を比較することにより、最適な冷却効果となるファンの風向きを制御する。
【００２６】
従って、最適な温度（ファン）制御によりシステム内部の温度上昇を防止できるため、熱に対するシステムの信頼性向上が図れる。また、動作保証温度を認識して、それに応じたファン制御を行うことで、動作保証温度が高いドライブが搭載された場合、ファン動作を低減でき、システムの省電力化、低騒音化が実現できる。
【００２７】
図１を参照すると、本発明のシステム構成例としての携帯型パソコン１０１は、ＦＤＤ１０２、ＨＤＤ１０３、ＣＤ−ＲＯＭ１０４などのドライブが搭載される２つのファイルベイＡ１０５、ファイルベイＢ１０６とＣＰＵや制御回路などのＩＣが実装されたＰＷＢ基板１０７、及びシステム内部を冷却するためのベイ用ファン１０８から構成される。
【００２８】
このＰＷＢ基板１０７にはファイルベイＡ１０５、ファイルベイＢ１０６に搭載されたドライブの動作保証温度を識別するためのＩＤ情報であるベイＩＤ信号ｂ、ベイＩＤ信号ｃ及びそれらをを判別するベイ識別回路１１１、また、ベイの雰囲気温度を読み取るための温度センサー１１５とベイ用ファン１０８の電源ＯＮ／ＯＦＦや風向きをファン制御信号ｅを経由して制御するファン制御回路１１２が実装される。
【００２９】
本例では、ファイルベイＡ１０５、ファイルベイＢ１０６に搭載されるドライブは、ＦＤＤ１０２、ＨＤＤ１０３、ＣＤ−ＲＯＭ１０４のうち２つのドライブがシステムに同時に搭載される。また、ベイ用ファン１０８から近い方に位置するのがファイルベイＡ１０５、遠い方に位置するのがファイルベイＢ１０６とし、ベイ用ファン１０８の風向きは、ファイルベイＡ１０５からファイルベイＢ１０６に流れる向き（Ａ方向）と、ファイルベイＢ１０６からファイルベイＡ１０５に流れる向き（Ｂ方向）に制御可能である。ファン風向きＡ方向の場合、温度がシステム内部より低い外気が通風孔Ａ１０９から入り、ファイルベイＡ１０５側を大きく冷却できる。また、ファン風向きＢ方向の場合、温度がシステム内部より低い外気が通風孔Ｂ１１０から入り、ファイルベイＢ１０６側を大きく冷却できる。
【００３０】
一般的な各々のドライブの動作保証温度は、ＦＤＤ１０２：５０℃、ＨＤＤ１０３：６０℃、ＣＤ−ＲＯＭ１０４：５５℃になっており、ドライブの種類によって動作保証温度が異なっている。
【００３１】
つまり、ファイルベイＡ１０５のドライブ動作保証温度がファイルベイＢ１０６のドライブ動作保証温度より低い場合、ファイルベイＡ１０５側を大きく冷却する、Ａ方向の風向きにファン制御することがファイルベイの温度上昇を防止する最適な手段となる。同様にファイルベイＡ１０５のドライブ動作保証温度がファイルベイＢ１０６のドライブ動作保証温度より高い場合、ファイルベイＢ１０６側を大きく冷却する、Ｂ方向の風向きにファン制御することがファイルベイの温度上昇を防止する最適な手段となる。また、システムはファイルベイＡ１０５、Ｂ１０６それぞれの動作保証温度を認識し、かつベイ雰囲気温度を温度センサー１１５から読み取ることにより、ファン制御回路１１２によって、ベイ用ファン１０８を必要最小限の動作及び効率的な制御が可能となる。
【００３２】
本発明は、２つのファイルベイに動作保証温度が異なるドライブが搭載された際、システムはドライブの動作保証温度をベイＩＤ情報として読み取り、システムは搭載されたファイルベイの配置、構成によってファンの風向きを変えることにより、最適な温度制御を行う。
【００３３】
図２ではドライブの動作保証温度に応じてドライブに盛り込まれるベイＩＤの対応表を表し、図３ではベイ１とベイ２の動作保証温度を比較してファン風向きと空気の流れを示すファン風向き制御対応表を表し、図４では具体的なファン制御信号の例を示すファン制御信号対応表を表す。以下、ファイルベイＡ１０５、Ｂ１０６にＦＤＤ１０２、ＨＤＤ１０３、ＣＤ−ＲＯＭ１０４の３つのうち２つのドライブが搭載される代表的なケースについて動作を説明する。
【００３４】
ケース１として、ファイルベイＡ１０５にＦＤＤ１０２、ファイルベイＢ１０６にＨＤＤ１０３が搭載された場合を説明する。まず、最初にシステムが起動した後に搭載されたドライブの動作保証温度の比較を行う。
【００３５】
図２のベイＩＤ対応表に基づき、ファイルベイＡ１０５のファイルベイＡ１０５のベイＩＤ信号ｂはＦＤＤ１０２のため“１”、ファイルベイＢ１０６のベイＩＤ信号ｃはＨＤＤ１０３のため“３”となる。ここでベイ識別回路１１１はベイＩＤ信号ｂとベイＩＤ信号ｃを比較して、ベイＩＤ信号ｂ＜ベイＩＤ信号ｃと判断し、図３のファン風向き制御 対応表に基づきファン風向きを“Ａ”方向 とファン制御回路１１２に指示する。ファン制御回路１１２は温度信号ｄを温度センサー１１５から読み取り、ファイルベイＡ１０５、Ｂ１０６の動作保証温度の低い方の温度（５０℃）を検出したら、図４のファン制御信号対応表に基づき、ファンの電源信号ＯＮ“１”、方向信号“１”にしてＡ方向の風向きにファンＯＮ制御を行う。
【００３６】
図３にファン風向き“Ａ”の場合の空気流れを示すように、温度がシステム内部より低い外気が通風孔Ａ１０９から入りファイルベイＡ１０５を通り、ファイルベイＢ１０６から通風孔Ｂ１１０へ内部の温度の高い空気が出ていくことにより、ファイルベイＡ１０５のドライブを大きく冷却できる。
【００３７】
このことにより、動作保証温度の低いファイルベイＡ１０５のドライブを効果的に冷却可能である。
【００３８】
これと同様な温度（ファン）制御は、ファイルベイＡ１０５にＦＤＤ１０２、ファイルベイＢ１０６にＣＤ−ＲＯＭ１０４が搭載された場合であり、ファイルベイＡ１０５にＣＤ−ＲＯＭ１０４、ファイルベイＢ１０６にＨＤＤ１０３が搭載された場合もファン ＯＮの検出温度が５５℃になること以外は同様となる。
【００３９】
ケース２として、ファイルベイＡ１０５にＨＤＤ１０３、ファイルベイＢ１０６にＦＤＤ１０２が搭載された場合を説明する。まず、最初にシステムが起動した後に搭載されたドライブの動作保証温度の比較を行う。
【００４０】
図２のベイＩＤ対応表に基づき、ファイルベイＡ１０５のベイ１ＩＤはＨＤＤ１０３のため“３”、ファイルベイＢ１０６のベイＩＤ信号ｃはＦＤＤ１０３のため“１”となる。ここでベイ識別回路１１１はベイＩＤ信号ｂとベイＩＤ信号ｃを比較して、ベイＩＤ信号ｂ＞ベイＩＤ信号ｃと判断し、図３のファン風向き制御 対応表に基づきファン風向きを“Ｂ”方向とファン制御回路１１２に指示する。ファン制御回路１１２はベイ雰囲気温度を温度センサー１１５から読み取り、ファイルベイＡ１０５、Ｂ１０６の動作保証温度の低い方の温度（５０℃）を検出したら、図４のファン制御信号対応表に基づき、ファンの電源信号ＯＮ“１”、方向信号“０”にしてＢ方向の風向きにファンＯＮ制御を行う。
【００４１】
図３にファン風向き“Ｂ”の場合の空気流れを示すように、温度がシステム内部より低い外気が通風孔Ｂ１１０から入りファイルベイＢ１０６を通り、ファイルベイＡ１０５から通風孔Ａ１０９へ内部の温度の高い空気が出ていくことにより、ファイルベイＢ１０６のドライブを大きく冷却できる。
【００４２】
このことにより、動作保証温度の低いファイルベイＢ１０６のドライブを効果的に冷却可能である。
【００４３】
これと同様な温度（ファン）制御は、ファイルベイＡ１０５にＣＤ−ＲＯＭ１０４、ファイルベイＢ１０６にＦＤＤ１０２が搭載された場合であり、ファイルベイＡ１０５にＨＤＤ１０３、ファイルベイＢ１０６にＣＤ−ＲＯＭ１０４が搭載された場合もファン ＯＮの検出温度が５５℃になること以外は同様となる。
【００４４】
つまり、ケース１とケース２はどちらもＦＤＤ１０２とＨＤＤ１０３が搭載された例だが、搭載されたファイルベイの位置によって温度（ファン）制御の風向きが変わり、状況に応じて最適な温度（ファン）制御を行っている。
【００４５】
このように、本発明を利用した温度（ファン）制御システムを持つ携帯型パソコンは、効率の良い温度（ファン）制御を行うことができ、システム内部の温度上昇を防止できるため、熱に対するシステムの信頼性向上が図れる。また、動作保証温度が高いドライブが搭載された場合に従来よりファン動作を低減することが出来、消費電力の低減、つまりバッテリ駆動時間の延長や騒音の低減が図れる。携帯型パソコンは高機能が進むに伴い大きな消費電力を必要とし、システム内部の温度が上昇していき、冷却するために大型または高速ファンがシステムに必要となっていく。従来技術の一方向の風向き制御では、例えば最も動作保証温度の低いＦＤＤ１０２がファイルベイＡ１０５、ファイルベイＢ１０６のどちらに搭載されても対応出来るような大型ファンの風量が必要となり、ＦＤＤ１０２の配置によっては必要以上の冷却行為を行い、余分な消費電力を費やし、また,大 型ファンを採用するため、騒音が大きくなっていた。
本発明によれば、風向きを変更できる小型ファンでもファイルベイの搭載位置によって最適な風向きで冷却することにより冷却効果が向上出来、またドライブの動作保証温度に応じたファン制御を行うため従来よりファン動作時間を少なく出来ることにより従来より消費電力の低減及び騒音の低減を実現することが出来、資源の有効活用になる。
【００４６】
次にＩＤ情報読み込み回路についてさらに拡張した例を説明する。上記の説明では動作保証温度のＩＤ情報を２本の信号情報でシステムに伝えたが、ドライブの内部のＩＤ情報はSerial E2PROMなどのメモリを使用すれば、より大きな情報 を格納でき、より詳細なドライブの情報を入手出来る。
【００４７】
この場合、携帯型パソコンのＩＤ読み込み回路をドライブ内部のメモリから情報（データ）を読み出すためにシリアルバスインタフェースになる。この場合、ファイルベイの数が増えてもベイＩＤ信号数を増やす必要がなくなるため、ベイ識別回路を簡易的に出来る。
【００４８】
また、ファン制御方式に関して、ファンの電源ＯＮ／ＯＦＦ制御、風向き制御の他に風量制御を追加することも考えられる。
【００４９】
【発明の効果】
本発明のファイルベイの温度制御方法および装置は、ファイルユニットの種別および実装位置を検出して冷却ファンの送風方向を順／逆に変化させることにより、適切な温度制御ができるという効果がある。
【図面の簡単な説明】
【図１】本発明の一実施形態を示すブロック図である。
【図２】ベイＩＤ対応関係を示す図である。
【図３】ファン風向制御の対応を示す図である。
【図４】ファン制御信号の対欧を示す図である。
【図５】従来の一例を示す斜視図である。
【図６】従来の一例を示す分解斜視図である。
【図７】図７の動作を説明するブロック図である。
【符号の説明】
１０１    携帯型パソコン
１０２    ＦＤＤ
１０３    ＨＤＤ
１０４    ＣＤ−ＲＯＭ
１０５    ファイルベイＡ
１０６    ファイルベイＢ
１０８    ベイ用ファン
１０９    通風孔
１１０    通風孔
１１１    ベイ識別回路
１１２    ファン制御回路
１１５    温度センサ
【図１】
0003716172.tif 000002
【図２】
0003716172.tif 000003
【図３】
0003716172.tif 000004
【図４】
0003716172.tif 000005
【図５】
0003716172.tif 000006
【図６】
0003716172.tif 000007
【図７】
0003716172.tif 000008